(57)【要約】【課題】主に照明機器等の遠隔操作に用いられるリモコン送信機に関し、使い易く、確実な操作が可能なものを提供することを目的とする。【解決手段】電磁発電手段１２を設けると共に、低電圧で動作可能な高周波発振手段２０を介して、制御手段１８がアンテナ２１からリモコン信号を送信することによって、電池が不要になると共に、低電圧で動作可能な高周波発振手段２０により、少ない発電回数で複数回の操作を行うことができるため、使い易く、確実な操作が可能なリモコン送信機を得ることができる。【選択図】図１
2013005004.tif 000002
【特許請求の範囲】
【請求項１】
略箱型のケースと、このケース上面から操作部が突出した操作体と、この操作部の操作によって電気的接離を行うスイッチ接点と、このスイッチ接点の電気的接離に応じて、アンテナからリモコン信号を送信する制御手段からなり、電磁発電手段を設けると共に、低電圧で動作可能な高周波発振手段を介して、上記アンテナからリモコン信号を送信するリモコン送信機。
【発明の詳細な説明】
【技術分野】
【０００１】
本発明は、主に各種照明機器等の遠隔操作に用いられるリモコン送信機に関するものである。
【背景技術】
【０００２】
近年、テレビやビデオ、エアコン等の各種電子機器に加え、室内灯等の照明機器をリモコン送信機によって遠隔操作することが広く行われており、使い易く、確実な操作を行えるものが求められている。
【０００３】
このような従来のリモコン送信機について、図３を用いて説明する。
【０００４】
なお、この図面は構成を判り易くするために、部分的に寸法を拡大して表している。
【０００５】
図３は従来のリモコン送信機の断面図であり、同図において、１は略箱型で絶縁樹脂製のケースで、上面には複数の開口孔１Ａが形成されている。
【０００６】
また、２はゴム等の操作体で、下端に略ドーム状の薄肉部が設けられた複数の操作部２Ａが形成されると共に、この複数の操作部２Ａがケース１上面の複数の開口孔１Ａから、上下動可能に突出している。
【０００７】
そして、３は上下面に複数の配線パターン（図示せず）が形成された配線基板で、上面には銅やカーボン等によって複数の固定接点４が形成されると共に、この固定接点４が操作部２Ａ下面の可動接点５と、所定の間隙を空けて対向して、複数のスイッチ接点が形成されている。
【０００８】
さらに、６は絶縁樹脂製のカバーで、このカバー６がケース１下面を覆うと共に、カバー６内には電池７が収納され、この下面には絶縁樹脂製の蓋体８が装着されている。
【０００９】
また、配線基板３の上下面には、アンテナ９やマイコン等の制御手段１０が形成されると共に、配線パターン等を介して複数の固定接点４や電池７、アンテナ９が制御手段１０に接続されて、リモコン送信機が構成されている。
【００１０】
以上の構成において、リモコン送信機を操作する室内灯等の照明機器に向けて、指で所定の操作部２Ａを押圧操作すると、略ドーム状の薄肉部が弾性変形して操作部２Ａが下方へ移動し、この下面の可動接点５が複数の固定接点４に接触して、可動接点５を介して複数の固定接点４の電気的接離が行われる。
【００１１】
そして、この所定の操作部２Ａ下方のスイッチ接点の電気的接離を制御手段１０が検出し、これに応じてアンテナ９から電波のリモコン信号が照明機器等へ送信されて、例えば、照明機器の点灯や消灯等が遠隔操作によって行われる。
【００１２】
つまり、複数の操作部２Ａの押圧操作によって、この下方のスイッチ接点の電気的接離を行い、これに応じて制御手段１０がアンテナ９から電波のリモコン信号を送信することで、天井等の離れた場所に設置された照明機器の、消点灯等の操作が行えるように構成されているものであった。
【００１３】
なお、この出願の発明に関連する先行技術文献情報としては、例えば、特許文献１が知られている。
【先行技術文献】
【特許文献】
【００１４】
【特許文献１】特開２０１０−１５４４３０号公報
【発明の概要】
【発明が解決しようとする課題】
【００１５】
しかしながら、上記従来のリモコン送信機においては、一般にＤＣ１．５Ｖの電池７を二本直列に接続し、ＤＣ３Ｖの電源によって制御手段１０やアンテナ９の動作を行っているが、ある期間使用して電池７が消耗すると、これをカバー６内から取り出して交換する必要があり、手間がかかると共に、電池７が消耗して電圧が所定の値以下、例えば１．８Ｖ以下となった場合には、制御手段１０の誤動作が生じ易くなってしまう場合があるという課題があった。
【００１６】
本発明は、このような従来の課題を解決するものであり、使い易く、確実な操作の可能なリモコン送信機を提供することを目的とする。
【課題を解決するための手段】
【００１７】
上記目的を達成するために本発明は、電磁発電手段を設けると共に、低電圧で動作可能な高周波発振手段を介して、制御手段がアンテナからリモコン信号を送信するようにしてリモコン送信機を構成したものであり、電池が不要になると共に、低電圧で動作可能な高周波発振手段により、少ない発電回数で複数回の操作を行うことができるため、使い易く、確実な操作が可能なリモコン送信機を得ることができるという作用を有するものである。
【発明の効果】
【００１８】
以上のように本発明によれば、使い易く、確実な操作が可能なリモコン送信機を実現できるという有利な効果が得られる。
【図面の簡単な説明】
【００１９】
【図１】本発明の一実施の形態によるリモコン送信機の断面図
【図２】同回路図
【図３】従来のリモコン送信機の断面図
【発明を実施するための形態】
【００２０】
以下、本発明の実施の形態について、図１及び図２を用いて説明する。
【００２１】
なお、これらの図面は構成を判り易くするために、部分的に寸法を拡大して表している。
【００２２】
また、背景技術の項で説明した構成と同一構成の部分には同一符号を付して、詳細な説明を簡略化する。
【００２３】
（実施の形態）
図１は本発明の一実施の形態によるリモコン送信機の断面図、図２は同回路図であり、同図において、１は略箱型でポリスチレンやＡＢＳ等の絶縁樹脂製のケースで、上面には複数の開口孔１Ａが形成されている。
【００２４】
また、２はゴムやエラストマー等の操作体で、下端に略ドーム状の薄肉部が設けられた複数の操作部２Ａが形成されると共に、この複数の操作部２Ａがケース１上面の複数の開口孔１Ａから、上下動可能に突出している。
【００２５】
そして、１１は紙フェノールやガラス入りエポキシ等の配線基板で、上下面には銅箔等によって複数の配線パターン（図示せず）が形成されると共に、この上面には銅やカーボン等によって、複数の固定接点４が形成され、この固定接点４が操作部２Ａ下面のカーボン等の可動接点５と、所定の間隙を空けて対向して、複数のスイッチ接点が形成されている。
【００２６】
さらに、１２は電磁発電手段で、螺旋状に巻回された銅線等のコイル１３内に、略柱状でフェライトやＮｄ−Ｆｅ−Ｂ合金等の磁石１４が、移動可能に挿通して形成されると共に、磁石１４の両端にはゴムやばね等のダンパー（図示せず）が設けられている。
【００２７】
また、１５は複数のダイオード等が接続された整流回路、１６Ａと１６Ｂはコンデンサ等の蓄電手段、１７はレギュレータＩＣ等の定電圧回路で、電磁発電手段１２のコイル１３両端が整流回路１５に接続されると共に、この整流回路１５に蓄電手段１６Ａと１６Ｂ、定電圧回路１７が接続されている。
【００２８】
そして、１８はマイコン等の制御手段、１９はトランジスタ等の信号生成手段で、制御手段１８に抵抗を介して信号生成手段１９が接続されると共に、この制御手段１８と信号生成手段１９が定電圧回路１７に接続されている。
【００２９】
また、２０は高周波発振手段で、ＤＣ１〜１．８Ｖ前後の低電圧で動作可能なインバータ２０Ａと抵抗、振動子２０Ｂが並列に接続されて形成されると共に、インバータ２０Ａには信号生成手段１９が接続されている。
【００３０】
さらに、この高周波発振手段２０にアンテナ２１が、整合回路２２やコンデンサを介して接続されると共に、制御手段１８に配線パターン等を介して、複数のスイッチ接点の固定接点４が接続され、ケース１下面を絶縁樹脂製のカバー２３が覆って、リモコン送信機が構成されている。
【００３１】
以上の構成において、リモコン送信機を手で持って所定方向へ振ると、電磁発電手段１２の磁石１４がコイル１３内を移動して起電力が生じ、コイル１３に電流が流れてＡＣ１０〜２０Ｖ前後の電圧が発生し、これが整流回路１５を通って、ＤＣ１２Ｖ前後の電源として蓄電手段１６Ａに充電された後、定電圧回路１７で変換され、ＤＣ３Ｖ前後の電源として蓄電手段１６Ｂに充電される。
【００３２】
そして、この後、リモコン送信機を操作する室内灯等の照明機器に向けて、指で所定の操作部２Ａを押圧操作すると、略ドーム状の薄肉部が弾性変形して操作部２Ａが下方へ移動し、この下面の可動接点５が複数の固定接点４に接触して、可動接点５を介して複数の固定接点４の電気的接離が行われる。
【００３３】
そして、この所定の操作部２Ａ下方のスイッチ接点の電気的接離を制御手段１８が検出し、これに応じて信号生成手段１９を駆動させ、高周波発振手段２０を介してアンテナ２１から、電波のリモコン信号が照明機器等へ送信されて、例えば、照明機器の点灯や消灯等が遠隔操作によって行われる。
【００３４】
つまり、複数の操作部２Ａの押圧操作によって、この下方のスイッチ接点の電気的接離を行い、これに応じて制御手段１８がアンテナ２１から電波のリモコン信号を送信することで、天井等の離れた場所に設置された照明機器の、消点灯等の操作が行えるように構成されている。
【００３５】
また、この時、上記のようにＤＣ１〜１．８Ｖ前後の低電圧で動作可能なインバータ２０Ａから形成された高周波発振手段２０を介して、アンテナ２１からリモコン信号を送信することで、少ない発電回数で複数回の操作が可能なようになっている。
【００３６】
すなわち、リモコン送信機を例えば一回振って、上記のように電磁発電手段１２で発電され、蓄電手段１６Ｂに充電されたＤＣ３Ｖ前後の電源は、操作部２Ａを押圧操作して、アンテナ２１からリモコン信号を送信する間に、電圧が２Ｖ前後にまで低下するため、一回の発電では通常一回程度の遠隔操作しか行うことができない。
【００３７】
しかし、上記のように低電圧で動作可能なように高周波発振手段２０を形成し、これを介してアンテナ２１からリモコン信号を送信することによって、発電した電圧がある程度低下した状態でも、別の操作部２Ａを再度押圧操作してリモコン信号を送信し、複数回の操作を行うことが可能となる。
【００３８】
つまり、低電圧で動作可能な高周波発振手段２０を設け、これを介してリモコン信号を送信することで、発電した電源電圧が２Ｖ以下になった場合でも、所定時間の間はリモコン信号の送信が可能となるため、少ない発電回数で複数回の操作を行うことができるように構成されている。
【００３９】
また、操作の都度リモコン送信機を振ることで、電磁発電手段１２によって発電し、これによって遠隔操作を行うようになっているため、電池等の電源が不要となって、電池交換といった手間もなくなると共に、電池電圧の低下による制御手段１８の誤動作等も生じないようになっている。
【００４０】
なお、以上の説明では、高周波発振手段２０にＤＣ１〜１．８Ｖ前後の低電圧で動作可能なものを用いた構成として説明したが、制御手段１８のマイコン等は一般に１．８Ｖ前後まで動作可能となっているため、これに合わせ１．４〜１．７Ｖ前後で動作可能なものを用いることが、より好ましい。
【００４１】
また、以上の説明では、配線基板１１上に操作体２を載置し、操作部２Ａ下面の可動接点５と、配線基板１１上面の固定接点４を対向配置して、複数のスイッチ接点を形成した構成について説明したが、配線基板１１上面の固定接点４上に、略ドーム状で導電金属薄板製の可動接点を載置したものや、あるいは配線基板１１上面に個別のプッシュスイッチ等を実装したもの等、様々なスイッチ接点を用いた構成としても、本発明の実施は可能である。
【００４２】
このように本実施の形態によれば、電磁発電手段１２を設けると共に、低電圧で動作可能な高周波発振手段２０を介して、制御手段１８がアンテナ２１からリモコン信号を送信することによって、電池が不要になると共に、低電圧で動作可能な高周波発振手段２０により、少ない発電回数で複数回の操作を行うことができるため、使い易く、確実な操作が可能なリモコン送信機を得ることができるものである。
【産業上の利用可能性】
【００４３】
本発明によるリモコン送信機は、使い易く、確実な操作が可能なものを得ることができるという有利な効果を有し、主に照明機器等の遠隔操作用として有用である。
【符号の説明】
【００４４】
１  ケース
１Ａ  開口孔
２  操作体
２Ａ  操作部
４  固定接点
５  可動接点
１１  配線基板
１２  電磁発電手段
１３  コイル
１４  磁石
１５  整流回路
１６Ａ、１６Ｂ  蓄電手段
１７  定電圧回路
１８  制御手段
１９  信号生成手段
２０  高周波発振手段
２０Ａ  インバータ
２０Ｂ  振動子
２１  アンテナ
２２  整合回路
２３  カバー
【図１】
2013005004.tif 000003
【図２】
2013005004.tif 000004
【図３】
2013005004.tif 000005